(57)【要約】【課題】従来の頭髪用液体塗布具と類似の構成で、多孔質の塗布体に力学的負担をかけることなく、少ない回数で、大量の染毛料などを、頭髪を掬い上げながら塗布することが出来、頭髪以外の皮膚などを汚染しにくい頭髪用液体塗布具を提供する。【解決手段】少なくとも棒状の多孔質塗布体を備える頭髪用液体塗布具において、先端に拡幅部を持つ略平板状の櫛歯体を備え、棒状の多孔質塗布体は直線上に並び、前記略平板状の櫛歯体は、少なくとも一本がその平面の何れか一面または両面を相対して前記棒状の多孔質体の並ぶ直線と平行に直立しているように構成する。【選択図】図５
2011200643.tif 000002
【特許請求の範囲】
【請求項１】
少なくとも先端および側面に塗布液が滲出する棒状の多孔質塗布体と、
先端に拡幅部を持つ略平板状の櫛歯体と、を備え、
前記棒状の多孔質塗布体は直線上に林立し、
前記略平板状の櫛歯体は、少なくとも一本がその平面の何れか一面または両面を相対して前記棒状の多孔質体の林立する直線と平行に直立していることを特徴とする頭髪用液体化粧料塗布具。
【請求項２】
前記略平板状の櫛歯体を複数備え、
一連の棒状の多孔質塗布体の林立する直線上に対し、
前記略平板状の櫛歯体は、前記棒状の多孔質体の林立する直線に向かって、その平面の何れか一面または両面を相対して前記直線と平行な直線上に林立し、
前記一連の棒状の多孔質塗布体と、前記一連の略平板状の櫛歯体は、それら平行する直線上の略同じ座標に位置していることを特徴とする請求項１に記載の頭髪用液体化粧料塗布具。
【請求項３】
少なくとも先端および側面に塗布液が滲出する棒状の多孔質塗布体と、
先端に拡幅部を持つ略平板状の櫛歯体と、を備え、
前記棒状の多孔質塗布体は直線上に直立し、
前記略平板状の櫛歯体は、前記棒状の多孔質塗布体が並ぶ直線上に直立し、
その平面は、前記棒状の多孔質塗布体が並ぶ直線に対して直交していることを特徴とする頭髪用液体化粧料塗布具。
【請求項４】
前記棒状の多孔質塗布体の幅が、前記略平板状の櫛歯体の最大幅を超える幅であることを特徴とする請求項２に記載の頭髪用液体化粧料塗布具。
【請求項５】
前記棒状の多孔質塗布体の幅が、前記略平板状の櫛歯体の拡幅部の幅未満であることを特徴とする請求項４に記載の頭髪用液体化粧料塗布具。
【請求項６】
前記略平板状の櫛歯体の拡幅部と前記略平板状の櫛歯体とが、傾斜部によって繋がることを特徴とする請求項１〜５に記載の頭髪用液体化粧料塗布具。
【請求項７】
前記略平板状の櫛歯体先端の拡幅部が二又になっていることを特徴とする請求項１〜６の何れか一つに記載の頭髪用液体化粧料塗布具。
【請求項８】
前記略平板状の櫛歯体の先端拡幅部が、前記棒状の多孔質塗布体の先端よりも突出していることを特徴とする請求項１〜７の何れか一つに記載の頭髪用液体化粧料塗布具。
【発明の詳細な説明】
【技術分野】
【０００１】
本願発明は、低粘性の頭髪用化粧料を十分な量を塗布するための塗布具に関する。より詳しくは、低粘性の頭髪用化粧料を中綿に収納し、櫛歯状で、かつ、多孔質の塗布体を持つ塗布具に関する。
【背景技術】
【０００２】
櫛歯状で、かつ、多孔質の塗布体を備えた塗布具については、本出願人によるものが開示されている（特許文献１）。この塗布具は、櫛歯状で、かつ、多孔質の塗布体の先端にクシキャップが設けられ、頭髪用化粧料が頭皮に付着することを防止している。ところで、このようなクシキャップを備える櫛体は、頭髪を掬い上げる機能があり、櫛体間に吐出された塗布液を十分に塗布できるという効果を持つことが開示されている（特許文献２）。
【０００３】
これらの塗布具は、塗布体自体の先端にクシキャップ又は突片が設けられており、頭髪の掬い上げと塗布を同じ櫛体で行うため、本来目的とする塗布自体は十分ではない。また、キノコ状の形態を形成するために、２部品必要であるか、又は、複雑な成形型が必要であるという欠点があった。このことは、櫛体側面に頭髪を掬い取るための突起を設けた場合でも同じである（特許文献３）。
【０００４】
また、後述する理由から塗布液を多量に保持させるための櫛歯の構造も前記先行技術と同様の効果を期待できる（特許文献４、５）。但し、これらの構造では、塗布液が最も多量に保持される部分から更に櫛歯の奥（根元）へ頭髪が誘導されると考えられるため、多くの塗布液を頭髪へ塗布する効果は期待できない。また、これらの文献には、櫛歯の奥（根元）へ頭髪が誘導される効果については記載も示唆もされていない。
【先行技術文献】
【特許文献】
【０００５】
【特許文献１】実開平２−４５０４号公報（実用新案登録請求の範囲、図面など）
【特許文献２】特開２００１−２７５７５２号公報（特許請求の範囲、［０００６］の記載、図３など）
【特許文献３】登録実用新案第３０２７０４２号公報（実用新案登録請求の範囲、図面など）
【特許文献４】特開平９−２３９２２号公報（特許請求の範囲、図４、図７など）
【特許文献５】特開平１０−２１５９４４号公報（特許請求の範囲、図面など）
【発明の概要】
【発明が解決しようとする課題】
【０００６】
本発明者等は、前記の課題に鑑み、頭髪用化粧料を塗布するための塗布具であって、櫛歯状で多孔質体の塗布体を持つ塗布具において、頭髪を掬い上げる櫛体と櫛歯状の塗布体とを別々に、平行に直立させることによって、頭髪と多孔質の塗布体との接触が多くなり、他の多孔質の塗布体を持つ塗布具と比較して多量の塗布液を塗布できるようになることを見出し、本発明を完成させた。
【課題を解決するための手段】
【０００７】
すなわち、本発明は、次の（１）〜（５）に存する。
（１）少なくとも先端および側面に塗布液が滲出する棒状の多孔質塗布体と、先端に拡幅部を持つ略平板状の櫛歯体と、を備え、前記棒状の多孔質塗布体は直線上に林立し、前記略平板状の櫛歯体は、少なくとも一本がその平面の何れか一面または両面を相対して前記棒状の多孔質体の林立する直線と平行に直立していることを特徴とする頭髪用液体化粧料塗布具。
（２）前記略平板状の櫛歯体を複数備え、一連の棒状の多孔質塗布体の林立する直線上に対し、前記略平板状の櫛歯体は、前記棒状の多孔質体の林立する直線に向かって、その平面の何れか一面または両面を相対して、前記直線と平行な直線上に林立し、前記一連の棒状の多孔質塗布体と、前記一連の略平板状の櫛歯体は、それら平行する直線上の略同じ座標に位置していることを特徴とする前記（１）に記載の頭髪用液体化粧料塗布具。
（３）少なくとも先端および側面に塗布液が滲出する棒状の多孔質塗布体と、先端に拡幅部を持つ略平板状の櫛歯体と、を備え、前記棒状の多孔質塗布体は直線上に直立し、前記略平板状の櫛歯体は、前記棒状の多孔質塗布体が並ぶ直線上に直立し、その平面は、前記棒状の多孔質塗布体が並ぶ直線に対して直交していることを特徴とする頭髪用液体化粧料塗布具。
（４）前記棒状の多孔質塗布体の幅が、前記略平板状の櫛歯体の最大幅を超える幅であることを特徴とする前記（２）に記載の頭髪用液体化粧料塗布具。
（５）前記棒状の多孔質塗布体の幅が、前記略平板状の櫛歯体の拡幅部の幅未満であることを特徴とする前記（４）に記載の頭髪用液体化粧料塗布具。
（６）前記略平板状の櫛歯体の拡幅部と前記略平板状の櫛歯体とが、傾斜部によって繋がることを特徴とする前記（１）〜（５）に記載の頭髪用液体化粧料塗布具。
（７）前記略平板状の櫛歯体先端の拡幅部が二又になっていることを特徴とする前記（１）〜（６）の何れか一つに記載の頭髪用液体化粧料塗布具。
（８）前記略平板状の櫛歯体の先端拡幅部が、前記棒状の多孔質塗布体の先端よりも突出していることを特徴とする前記（１）〜（７）の何れか一つに記載の頭髪用液体化粧料塗布具。
【０００８】
前記（１）の構成により、先端に拡幅部を持つ櫛歯体の働きによって頭髪が掬い上げられ、棒状の多孔質塗布体の側面に頭髪が接触し、ここから滲みだす低粘度の化粧料が十分に塗布することができる。前記（２）の構成により、一連の櫛歯体によって掬い上げられた頭髪が、林立する棒状の多孔質体の隙間に入り、確実に多孔質体側面に当たることができる。多孔質体の側面から滲み出す塗布液が、確実に頭髪へと塗布することができる。前記（３）の構成により、前記（１）と同様の働きを、より簡便な構造で行うことができる。
そして、前記（４）の構成により、一連の櫛歯体によって掬い上げられた頭髪が、更に確実に多孔質体側面に当たることができる。
【０００９】
前記（５）の構成によって、棒状の多孔質塗布体側面での塗布以外に棒状の塗布体先端によっても頭髪への塗布を期待できるようになる。また、前記（６）の構成により、棒状の多孔質塗布体に頭髪からの負担をかけることなく塗布を行うことができるようになる。そして、前記（７）の構成によって、二又の拡幅部に梳かれた頭髪へ塗布体先端によって塗布が行われることが期待される。さらに、前記（８）の構成によって、多孔質の塗布体先端が頭皮に触れてしまう事を防止するとともに、前記（７）の構成による効果を更に補強することができる。
【発明の効果】
【００１０】
本発明は、上記のような構成となっているので、以下に示すような効果を奏する。
まず、塗布液が滲出する棒状の多孔質の塗布体と、先端に拡幅部を持つ櫛歯体とが別々に自立（直立）しているため、塗布液を頭髪へ塗布する働きと、頭髪の掬い上げる働きとを別々に行うことができる。即ち、頭髪を十分に掬い上げるので、その後に棒状の多孔質塗布体側面に頭髪を確実に当てることができる。これらの櫛歯体は平板状であるため、成形に当たって困難性が低く安価に製造することができる。また、構造的に脆弱な構成（多孔質体あるいは吐出口を持つ筒状体）を採らざるを得ない塗布体に、頭髪を掬い上げる作用を担わせないので、塗布体に負荷をかけさせないで済み、折損する可能性が著しく低くなる。
【００１１】
ところで、前記した一部の先行文献には、櫛歯体の先端をキノコ状の形にして頭髪を梳けば、頭髪が掬い上げられていくことが記載されている。即ち、先端にある突起の働きによって次々と頭髪が掬い上げられ、櫛歯体の隙間から漏れることが防止されるという作用である。本発明者等は、図１ないし図３に示すような実験から、前記したような構成ではない簡単な構造であっても、頭髪の掬い上げが行われることを理解した。
【００１２】
まず、図１に示すように、毛束を平面上に寝かせ、櫛を押し込む。櫛の位置は固定させたまま、櫛の角度を傾け、毛束を平面に沿って矢印の方向に引っ張った。その時の毛束の様子を観察した。
【００１３】
櫛を毛束の引っ張り方向に４５度傾斜させると、毛束は平面から浮き上がった（図２）。逆に、櫛を毛束の引っ張り方向に１３５度（逆向きに４５度）傾斜させると、毛束は平面上に押し付けられた（図３）。
【００１４】
この現象は、（一）毛束が櫛歯の隙間に押し込まれ、この部分の毛は整列させられる、（二）毛束が移動すると、整列していた毛は櫛歯の隙間から開放され広がる、（三）広がった毛の一部は櫛歯の斜面に接して、斜面の方向により毛は上下いずれかの方向へ押し遣られる、（四）開放された部分の毛は乱雑に交錯しており、一部の毛の動きが毛束全体に伝播する、という仕組みから起こるものと考えられる（図４）。この効果は、毛の量が少ない毛束、あるいは、短い毛の毛束では少なく、毛の量が多い毛束、あるいは、長い毛の毛束ではより顕著に現れる。
【００１５】
このことから、枝毛、切れ毛並びに絡まりの全く無い、いわゆる「完全なストレートヘア」の場合を除いて、櫛歯に適切な傾斜または傾斜のある部分が設けられているだけで、頭髪の上下の動きを制御できることが理解される。
【発明を実施するための最良の形態】
【００１６】
次に、本発明の実施形態について、図面を参照して説明する。
本出願では、塗布具の櫛体先端の方向を「前方」とし、塗布具の基部、即ち塗布具本体部分の方向を「後方」としている。
【００１７】
本願第一の実施例の外観を図５（ａ）、（ｂ）および（ｃ）に示す。これらの図に示す通り、塗布具本体１の前方にはキャップ嵌着部１３、キャップ螺合部１１および塗布体支持部１２が設けられ、この塗布体支持部１２の前端平面中央部には塗布体支持片挿入口１４が開口している。前記キャップ螺合部１１にキャップ体７が螺子込まれ、前記塗布体支持部１２あるいはキャップ嵌着部１３と密着して、不使用時には内部を気密状態に保つ（図示せず）。
【００１８】
本実施例においては、塗布体支持片５は、その前方に一連の櫛歯体３、３…が平面部を向かい合わせにして２列に設けられており、これらの櫛歯体３、３…前端には拡幅部３１、３１…が、それぞれ備わっている。また、本実施例では、前記２列の櫛歯体３、３…の間に、更に、一連の棒状の多孔質塗布体２、２…が２列に挿入固定されている。また、本実施例においては、一連の櫛歯体３、３…に囲まれていない、一連の多孔質塗布体２、２…の側方に防護板６が設けられている。
【００１９】
塗布体支持片５は、その後端を、本体１の塗布体支持片挿入口１４に挿入固定され、一連の多孔質塗布体２、２…は、その後端が、本体１内部に収納されている中綿４と接触する（図示せず）。この中綿４には、低粘度の塗布液が含浸されており、接触した多孔質塗布体へ塗布液が平衡に達するまで供給され、多孔質塗布体２、２…の塗布液が使用に供されると、再び平衡に達するまで塗布液が供給され続ける。このような中綿に収容され、遅滞なく供給される塗布液としては、２５℃における粘度測定（ＴＶＥ−２０Ｌ型粘度計；株式会社トキメック製、標準コーン；１度３４分×Ｒ２４、１０ｒｐｍ、２０ｒｐｍ、５０ｒｐｍ、１００ｒｐｍ）において、１〜５０ｍＰａ・ｓの粘度範囲にあるものが好ましい。
【００２０】
本実施例の場合、櫛歯体３、３…前端の拡幅部３１、３１…によって、頭髪は櫛歯体３、３…の隙間に掬い上げられ、一連の塗布体２、２…に負担をかけることなく塗布体２、２…の根元まで頭髪を移動させることができる。そのため、塗布体２、２…の側面全てを使って、塗布液を頭髪へ塗布することができる。
【００２１】
また、本実施例においては、塗布体２、２…および櫛歯体３、３…は、それぞれ一直線上かつ等間隔に並び、これらが並ぶ複数の直線は全て平行となっており、隣り合う塗布体２および櫛歯体３も、やはり一直線上に並んで設けられている。即ち、塗布体２、２…および櫛歯体３、３…は、格子状に林立している。
【００２２】
ここで、塗布体２、２…および櫛歯体３、３…は、それぞれの間隔を十分に取ってあるので、間に頭髪を十分に掬い上げることができる。その櫛歯体（拡幅部）に掬い上げられた頭髪の束は、櫛歯体から開放されると上下左右に「膨張」し、塗布体へと当たることとなる。従って、本実施例の場合、塗布体２の直径は櫛歯体３の直径以下でも塗布自体にさほどの支障は無いが、図５（ｂ）に示すとおり、櫛歯体３の直径よりも僅かに塗布体２の直径を大きくする方がより効果的である。また、防護板６と塗布体２、２…との間隔も十分に取っておけば、更に効果が期待できる。
【００２３】
本実施形態（本願）の塗布体２、２…は、全体が多孔質体であるので、中綿４から吸い上げられた塗布液は、これらの全面から滲み出てくるので、頭髪を可能な限り当てて梳くことで、より効果的な塗布を行うことができる。
【００２４】
更に、本実施形態では、櫛歯体３、３…は塗布体２、２…よりも前方に突出しているため、この塗布具を使用した際、頭皮には櫛歯体先端が当接することとなって、頭皮の汚染を防ぐことができる。
【００２５】
次に、本願第二の実施例の外観を図６（ａ）、（ｂ）および（ｃ）に示す。これらの図に示す通り、櫛歯体３、３…の、それぞれ先端に設けられた拡幅部３２が二又になっていること以外は、第一の実施例と同じである。この二又の拡幅部を有する櫛歯体３、３…にも、当然、その隙間へ頭髪を掬い上げる効果が有る。
【００２６】
本実施例においては、第一の実施例における効果に加えて、二又の拡幅部に挟み込まれた頭髪が塗布体２、２…先端部による塗布を受けることができる効果を有するものである。
【００２７】
本願第三の実施例の外観を図７（ａ）、（ｂ）および（ｃ）に示す。これらの図に示す通り、本実施例においては、一連の略平板状の櫛歯体３、３…の間に、一連の棒状の多孔質塗布体２、２…が複数の列を成して平行に挿入固定されている。これら一連の略平板状の櫛歯体３、３…は、それらの平面を、前記複数の多孔質塗布体の列に対して平行となるように設けられている。これらの櫛歯体３、３…の先端の拡幅部３２が形成されている。即ち、本実施例において、略平板状の櫛歯体は、頭髪を梳く方向に対して、それらの平面が平行となるように設けられている。
【００２８】
本実施例の場合、櫛歯体３、３…前端の拡幅部３２、３２…は、櫛歯体３、３…との間に前端方向に向かって拡幅する傾斜部が備わるので、それによって、頭髪は掬い上げられる。そして、一連の塗布体２、２…に負担をかけることなく櫛歯体３、３…および塗布体２、２…の隙間の根元まで頭髪を移動させることができる。そのため、塗布体２、２…の側面全てを使って、塗布液を頭髪へ塗布することができる。また、本実施例においては、最も外側の櫛歯体が、実施例１および２における防護板６の役割を果たすため、これは設けない。
【００２９】
そして、本実施形態においても、櫛歯体３、３…は塗布体２、２…よりも前方に突出しているため、この塗布具を使用した際、頭皮には櫛歯体先端が当接することとなって、頭皮の汚染を防ぐことができる。
【００３０】
次に、本願第四の実施例の外観を図８（ａ）、（ｂ）および（ｃ）に示す。これらの図に示す通り、櫛歯体３、３…の、それぞれ先端に設けられた拡幅部３２が、より明確に二又になっていること以外は、第三の実施例と同じである。本実施例においては、第三の実施例における、頭髪を掬い上げる効果が更に強化されており、かつ、一連の塗布体２、２…に負担をかけることがない事は同じである。
【００３１】
そして、本願第五の実施例の外観を図９（ａ）、（ｂ）および（ｃ）に示す。これらの図に示す通り、ここでは、略平板状の櫛歯体３、３…の、それぞれ先端に設けられた、やはり略平板状の拡幅部３１が、円形になっており、櫛歯体３と拡幅部３１の間はくびれ部が存在する。ここでは更に、これらの櫛歯体３１、３１…は、一列一直線に並んだ多孔質塗布体２、２…と互い違いに並んでおり、これらの櫛歯体３１、３１…の平面部は多孔質塗布体が並ぶ直線と直交するように配置される。本実施例においては、前記したような構成によって得られる効果を、より簡便な構成によって得られるものである。本実施例の場合でも、毛髪を梳く動作を行うと、櫛歯体３と拡幅部３１との間のくびれ部から、更に、毛髪が押し上げられ、塗布体２の側面全体で毛髪への塗布が行われる。
【産業上の利用可能性】
【００３２】
本発明の頭髪用液体化粧料塗布具は、塗布具本体に設けた一連の櫛体によって頭髪（人間の頭髪、その他のペット動物等を含む毛）を梳きながら塗布体に含浸した染毛料などを塗布する際に、塗布液などが直接頭皮などに触れず、塗布性が十分に確保でき、かつ、比較的大量の塗布液を大量の毛髪に塗布することができるので、産業上の利用可能性の高いものである。
【図面の簡単な説明】
【００３３】
【図１】図１は本願に係る確認実験における最初かつ共通の位置関係を示す図である。
【図２】図２は本願に係る第１の確認実験における実験方法と結果を示す図である。
【図３】図３は本願に係る第２の確認実験における実験方法と結果を示す図である。
【図４】図４は本願に係る確認実験における実験結果についての考察を示す図である。
【図５】図５（ａ）〜（ｃ）は本願における第１実施例を示す図面である。図５（ａ）は側面図、図５（ｂ）は正面図、図５（ｃ）は斜視図である。
【図６】図６（ａ）〜（ｃ）は本願における第２実施例を示す図面である。図６（ａ）は側面図、図６（ｂ）は正面図、図６（ｃ）は斜視図である。
【図７】図７（ａ）〜（ｃ）は本願における第３実施例を示す図面である。図７（ａ）は側面図、図７（ｂ）は正面図、図７（ｃ）は斜視図である。
【図８】図８（ａ）〜（ｃ）は本願における第４実施例を示す図面である。図８（ａ）は側面図、図８（ｂ）は正面図、図８（ｃ）は斜視図である。
【図９】図９（ａ）〜（ｃ）は本願における第５実施例を示す図面である。図９（ａ）は側面図、図９（ｂ）は正面図、図９（ｃ）は斜視図である。
【符号の説明】
【００３４】
１…塗布具本体、１１…キャップ螺合部、１２…塗布体支持部、１３…キャップ嵌着部、１４…塗布体支持片挿入口、２…多孔質塗布体、３…櫛歯体、３１…先端拡幅部、３２…二又の先端拡幅部、５…塗布体支持片、６…防護板
【図１】
2011200643.tif 000003
【図２】
2011200643.tif 000004
【図３】
2011200643.tif 000005
【図４】
2011200643.tif 000006
【図５】
2011200643.tif 000007
【図６】
2011200643.tif 000008
【図７】
2011200643.tif 000009
【図８】
2011200643.tif 000010
【図９】
2011200643.tif 000011